(57)【要約】【課題】  リサイクル時の回路部品の交換作業をより効率的に行うことができる電気回路基板を提供する。【解決手段】  電気回路基板２は、リサイクル時に交換が不要な交換不要ユニット２０と、リサイクル時に交換が必要な第１、第２要交換ユニット２１、２２とからなる。各ユニット２０〜２２は、それぞれ８個のスペーサ２３およびネジ２４により、電気的・機械的に各々着脱可能に結合されている。第１〜第３電解コンデンサ１６〜１８、およびトランジスタ１９といった再利用不可能な短寿命回路部品が、第１、第２要交換ユニット２１、２２に纏めて実装されているので、短寿命回路部品を識別したり探したりする手間が省け、リサイクル時の交換作業を効率良く行うことができる。【選択図】        図２
2005252103.tif 000002
【特許請求の範囲】
【請求項１】
寿命が略同等な回路部品が実装された回路ユニットを複数有し、これら複数の回路ユニットは、電気的・機械的に各々着脱可能となるように結合手段により結合されていることを特徴とする電気回路基板。
【請求項２】
前記複数の回路ユニットは、再利用可能な長寿命回路部品が実装され、リサイクル時に交換が不要な交換不要ユニットと、再利用不可能な短寿命回路部品が実装され、リサイクル時に交換が必要な要交換ユニットとからなることを特徴とする請求項１に記載の電気回路基板。
【発明の詳細な説明】
【技術分野】
【０００１】
本発明は、再利用可能な長寿命回路部品と、再利用不可能な短寿命回路部品とが実装された電気回路基板に関する。
【背景技術】
【０００２】
近年、自然環境の保護、省資源化、省エネルギー化などの観点から、使用済製品を市場から回収し、清掃・再生処置をして再利用するリサイクル運動が活発化している。種々の電子機器に搭載される電気回路基板も、このリサイクルの対象となっている。リサイクルに際しては、電気回路基板に実装された回路部品に対して寿命検査を行い、再利用可能なものと不可能なものとを分別している。
【０００３】
ここで、リサイクル時に交換が必要なもの、例えば電解コンデンサやフォトカプラ、パワートランジスタなどの短寿命回路部品と、交換が不要なものとが混在する場合、両者を識別することが困難となる。上記のような問題を解決するために、リサイクル時に交換が必要な回路部品と、交換が不要な回路部品の外観を異ならせることで、リサイクル時の回路部品の識別を容易にしたプリント回路基板が提案されている（特許文献１参照）。
【０００４】
【特許文献１】特開２００２−３６８３７５号公報
【発明の開示】
【発明が解決しようとする課題】
【０００５】
しかしながら、特許文献１に記載のプリント回路基板では、回路部品の識別は容易になるものの、交換が必要な回路部品が多数あり、しかも離れた位置に点在して実装されていた場合、回路部品を交換する作業に手間が掛かるという問題があった。
【０００６】
本発明は、上記課題を鑑みてなされたものであり、リサイクル時の回路部品の交換作業をより効率的に行うことができる電気回路基板を提供することを目的とする。
【課題を解決するための手段】
【０００７】
上記目的を達成するために、本発明の電気回路基板は、寿命が略同等な回路部品が実装された回路ユニットを複数有し、これら複数の回路ユニットは、電気的・機械的に各々着脱可能となるように結合手段により結合されていることを特徴とする。
【０００８】
なお、前記複数の回路ユニットは、再利用可能な長寿命回路部品が実装され、リサイクル時に交換が不要な交換不要ユニットと、再利用不可能な短寿命回路部品が実装され、リサイクル時に交換が必要な要交換ユニットとからなることが好ましい。
【発明の効果】
【０００９】
本発明の電気回路基板によれば、寿命が略同等な回路部品が実装された回路ユニットを複数有し、これら複数の回路ユニットは、電気的・機械的に各々着脱可能となるように結合手段により結合されているので、リサイクル時の回路部品の交換作業をより効率的に行うことができる。
【発明を実施するための最良の形態】
【００１０】
図１および図２において、本発明を適用した電気回路基板２には、ノイズフィルタ（ＮＦ）１０、整流回路（ＲＣ）１１、一次側コイル１２、二次側コイル１３、制御回路（ＣＣ）１４、フィードバック回路（ＦＢＣ）１５、第１〜第３電解コンデンサ１６〜１８、およびトランジスタ１９などが実装されている。この電気回路基板２は、制御回路１４によりトランジスタ１９がオンされたときに、ＡＣ入力から供給される電力を一次側コイル１２に蓄え、トランジスタ１９がオフされたときに、蓄えた電力をＤＣ出力する、いわゆるフライバック式の電源回路を構成している。
【００１１】
電気回路基板２は、リサイクル時に交換が不要な交換不要ユニット２０と、リサイクル時に交換が必要な第１、第２要交換ユニット２１、２２とからなる。交換不要ユニット２０には、ノイズフィルタ（ＮＦ）１０、整流回路（ＲＣ）１１、一次側コイル１２、二次側コイル１３、制御回路（ＣＣ）１４、およびフィードバック回路（ＦＢＣ）１５が、第１要交換ユニット２１には、第１電解コンデンサ１６およびトランジスタ１９が、第２要交換ユニット２２には、第２、第３電解コンデンサ１７、１８がそれぞれ実装されている。
【００１２】
各ユニット２０〜２２は、結合手段としてのそれぞれ８個のスペーサ２３およびネジ２４により、機械的に各々着脱可能に結合されている。スペーサ２３は、交換不要ユニット２０に取り付けられており、ネジ２４が螺合するネジ穴２５が設けられている。また、第１、第２要交換ユニット２１、２２には、ネジ２４が挿通される挿通穴２６が形成されている。
【００１３】
スペーサ２３およびネジ２４は、導電性材料からなる。また、交換不要ユニット２０のスペーサ２３が取り付けられる部分と、交換不要ユニット２０に第１、第２要交換ユニット２１、２２を取り付けた際に、第１、第２要交換ユニット２１、２２のネジ２４が接触する部分とには、接点２７、２８がそれぞれ設けられている。これにより、各ユニット２０は、電気的にも各々着脱可能に結合される。
【００１４】
次に、上記構成による作用について説明する。電気回路基板２の作成に際しては、まず、各ユニット２０〜２２に各回路部品１０〜１９を実装した後、第１、第２要交換ユニット２１、２２に形成された挿通穴２６にネジ２４を挿通させ、交換不要ユニット２０に取り付けられたスペーサ２３のネジ穴２５にネジ２４を螺合させる。これにより、各ユニット２０〜２２は、各々電気的・機械的に結合される。
【００１５】
リサイクル時には、ネジ２４をスペーサ２３のネジ穴２５から外して、交換不要ユニット２０から第１、第２要交換ユニット２１、２２を取り外し、新しい第１、第２要交換ユニットに取り替える。交換不要ユニット２０は、検査を経て再利用される。
【００１６】
上記のように、第１〜第３電解コンデンサ１６〜１８、およびトランジスタ１９といった再利用不可能な短寿命回路部品が、第１、第２要交換ユニット２１、２２に纏めて実装されているので、短寿命回路部品を識別したり探したりする手間が省け、リサイクル時の交換作業を効率良く行うことができる。
【００１７】
なお、結合手段としては、上記実施形態のスペーサ２３およびネジ２４に限らず、例えば、ワイヤーハーネスやコネクタを用いてもよい。また、上記実施形態では、フライバック式の電源回路を例示して説明したが、フォワード方式、プッシュプル方式などの各種電源回路は勿論のこと、電源回路以外の電気回路についても本発明は適用可能である。
【００１８】
さらに、上記実施形態では、回路部品を短寿命回路部品と長寿命回路部品とに二分しているが、寿命が略同等な回路部品が１つの回路ユニットに纏めて実装されていればよく、例えば、寿命１年、３年、５年、１０年の回路部品毎に回路ユニットを構成してもよい。この場合、リサイクル時には、電気回路基板２の使用年数に応じて、新しいものと取り替える回路ユニットを選択することができ、リサイクル効率を一層高めることが可能となる。
【図面の簡単な説明】
【００１９】
【図１】本発明を適用した電気回路基板の構成を示す回路図である。
【図２】電気回路基板の分解斜視図である。
【符号の説明】
【００２０】
２  電気回路基板
１６〜１８  第１〜第３電解コンデンサ
１９  トランジスタ
２０  交換不要ユニット
２１、２２  第１、第２要交換ユニット
２３  スペーサ
２４  ネジ
２７、２８  接点
【図１】
2005252103.tif 000003
【図２】
2005252103.tif 000004